【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
モバイルデバイス上で、信頼できないリンクを介したプロトコルメッセージのトランスポートを可能にする機構をもつプロトコルを使用してロケーションサーバとのプロトコルセッションを実行するための方法であって、前記方法が、
第１のプロトコルセッションに関連する第１のプロトコルセッションメッセージを前記ロケーションサーバに送ることと、
前記第１のプロトコルセッションメッセージに応答した前記ロケーションサーバからの肯定応答を待っている間、前記モバイルデバイスから前記ロケーションサーバへのアップリンク送信が中断される肯定応答待ち状態に入ることと、
第２のプロトコルセッションに関連する第２のプロトコルセッションメッセージを受信することと、前記第２のプロトコルセッションメッセージが、前記第１のプロトコルセッションメッセージに応答した前記ロケーションサーバからの前記肯定応答ではなく、前記第２のプロトコルセッションメッセージが、前記第１のプロトコルセッションメッセージ中で要求された情報を含み、
前記第２のプロトコルセッションメッセージを受信したことに応答して前記肯定応答待ち状態を出ることと、
前記第２のプロトコルセッションメッセージ中で受信された前記情報を使用してアクションを行うこととを備える、方法。
【請求項２】
前記第１のプロトコルセッションメッセージがＬＴＥ測位プロトコル（ＬＰＰ）支援データ要求メッセージであり、前記第２のプロトコルセッションメッセージがＬＰＰ支援データ提供メッセージである、請求項１に記載の方法。
【請求項３】
前記第１のプロトコルセッションメッセージがＬＰＰ支援データ要求メッセージであり、前記第２のプロトコルセッションメッセージがＬＰＰエラーメッセージまたはＬＰＰアボートメッセージである、請求項１に記載の方法。
【請求項４】
前記第１のプロトコルセッションメッセージが前記ロケーションサーバへの情報についての要求を備え、前記第２のプロトコルセッションメッセージが前記ロケーションサーバからの前記情報を含む、請求項１に記載の方法。
【請求項５】
前記第１のプロトコルセッションメッセージに関連する第１のトランザクションＩＤを、前記第２のプロトコルセッションメッセージに関連する第２のトランザクションＩＤと比較することと、
前記第１のトランザクションＩＤが前記第２のトランザクションＩＤに一致する場合のみ、前記第２のプロトコルセッションメッセージを受信したことに応答して前記肯定応答待ち状態を出ることとをさらに備える、請求項１に記載の方法。
【請求項６】
前記第１のプロトコルセッションメッセージに応答した前記ロケーションサーバからの前記肯定応答も、前記第２のプロトコルセッションメッセージも、再送信タイマーの満了より前に前記モバイルデバイスによって受信されない場合、前記第１のプロトコルセッションメッセージを前記ロケーションサーバに再送することをさらに備える、請求項１に記載の方法。
【請求項７】
モバイルデバイス上で、信頼できないリンクを介したプロトコルメッセージのトランスポートを可能にする機構をもつプロトコルを使用してロケーションサーバとのプロトコルセッションを実行するための装置であって、前記装置が、
第１のプロトコルセッションに関連する第１のプロトコルセッションメッセージを前記ロケーションサーバに送るための手段と、
前記第１のプロトコルセッションメッセージに応答した前記ロケーションサーバからの肯定応答を待っている間、前記モバイルデバイスから前記ロケーションサーバへのアップリンク送信が中断される肯定応答待ち状態に入るための手段と、
第２のプロトコルセッションに関連する第２のプロトコルセッションメッセージを受信するための手段と、前記第２のプロトコルセッションメッセージが、前記第１のプロトコルセッションメッセージに応答した前記ロケーションサーバからの前記肯定応答ではなく、前記第２のプロトコルセッションメッセージが、前記第１のプロトコルセッションメッセージ中で要求された情報を含み、
前記第２のプロトコルセッションメッセージを受信したことに応答して前記肯定応答待ち状態を出るための手段と、
前記第２のプロトコルセッションメッセージ中で受信された前記情報を使用してアクションを行うための手段とを備える、装置。
【請求項８】
モバイルデバイス上で、信頼できないリンクを介したプロトコルメッセージのトランスポートを可能にする機構をもつプロトコルを使用してロケーションサーバとのプロトコルセッションを実行するための複数のコンピュータ可読命令を記憶した非一時的コンピュータ可読媒体であって、請求項１乃至６のうちのいずれか１項に記載の方法を実行することをコンピュータにさせるように構成された命令を備える、非一時的コンピュータ可読媒体。
【請求項９】
ロケーションサーバ上で、信頼できないリンクを介したプロトコルメッセージのトランスポートを可能にする機構をもつプロトコルを使用してモバイルデバイスとのプロトコルセッションを実行するための方法であって、前記方法が、
第１のプロトコルセッションに関連する第１のプロトコルセッションメッセージを前記モバイルデバイスに送ることと、
前記第１のプロトコルセッションメッセージに応答した前記モバイルデバイスからの肯定応答を待っている間、前記ロケーションサーバから前記モバイルデバイスへのダウンリンク送信が中断される肯定応答待ち状態に入ることと、
第２のプロトコルセッションに関連する第２のプロトコルセッションメッセージを受信することと、前記第２のプロトコルセッションメッセージが、前記第１のプロトコルセッションメッセージに応答した前記モバイルデバイスからの前記肯定応答ではなく、前記第２のプロトコルセッションメッセージが、前記第１のプロトコルセッションメッセージ中で要求された情報を含み、
前記第２のプロトコルセッションメッセージを受信したことに応答して前記肯定応答待ち状態を出ることと、
前記第２のプロトコルセッションメッセージ中で受信された前記情報を使用してアクションを行うこととを備える、方法。
【請求項１０】
前記第１のプロトコルセッションメッセージが前記モバイルデバイスへの情報についての要求を備え、前記第２のプロトコルセッションメッセージが前記モバイルデバイスからの前記情報を含む、請求項９に記載の方法。
【請求項１１】
前記第１のプロトコルセッションメッセージに応答した前記モバイルデバイスからの前記肯定応答も、前記第２のプロトコルセッションメッセージも、再送信タイマーの満了より前に前記モバイルデバイスによって受信されない場合、前記第１のプロトコルセッションメッセージを前記モバイルデバイスに再送することをさらに備える、請求項９に記載の方法。
【請求項１２】
前記第１のプロトコルセッションメッセージに関連する第１のトランザクションＩＤを、前記第２のプロトコルセッションメッセージに関連する第２のトランザクションＩＤと比較することと、
前記第１のトランザクションＩＤが前記第２のトランザクションＩＤに一致する場合のみ、前記第２のプロトコルセッションメッセージを受信したことに応答して前記肯定応答待ち状態を出ることとをさらに備える、請求項９に記載の方法。
【請求項１３】
前記第１のプロトコルセッションメッセージがＬＴＥ測位プロトコル（ＬＰＰ）支援データ提供メッセージであり、前記第２のプロトコルセッションメッセージがＬＰＰロケーション情報提供メッセージである、請求項９に記載の方法。
【請求項１４】
ロケーションサーバ上で、信頼できないリンクを介したプロトコルメッセージのトランスポートを可能にする機構をもつプロトコルを使用してモバイルデバイスとのプロトコルセッションを実行するための装置であって、前記装置が、
第１のプロトコルセッションに関連する第１のプロトコルセッションメッセージを前記モバイルデバイスに送るための手段と、
前記第１のプロトコルセッションメッセージに応答した前記モバイルデバイスからの肯定応答を待っている間、前記ロケーションサーバから前記モバイルデバイスへのダウンリンク送信が中断される肯定応答待ち状態に入るための手段と、
第２のプロトコルセッションに関連する第２のプロトコルセッションメッセージを受信するための手段と、前記第２のプロトコルセッションメッセージが、前記第１のプロトコルセッションメッセージに応答した前記モバイルデバイスからの前記肯定応答ではなく、前記第２のプロトコルセッションメッセージが、前記第１のプロトコルセッションメッセージ中で要求された情報を含み、
前記第２のプロトコルセッションメッセージを受信したことに応答して前記肯定応答待ち状態を出るための手段と、
前記第２のプロトコルセッションメッセージ中で受信された前記情報を使用してアクションを行うための手段とを備える、装置。
【請求項１５】
ロケーションサーバ上で、信頼できないリンクを介したプロトコルメッセージのトランスポートを可能にする機構をもつプロトコルを使用してモバイルデバイスとのプロトコルセッションを実行するための複数のコンピュータ可読命令を記憶した非一時的コンピュータ可読媒体であって、請求項９乃至１３のうちのいずれか１項に記載の方法を実行することをコンピュータにさせるように構成された命令を備える、非一時的コンピュータ可読媒体。
【手続補正２】
【補正対象書類名】明細書
【補正対象項目名】０１１０
【補正方法】変更
【補正の内容】
【０１１０】
[0108]  本明細書で説明した一般原理は、本開示または特許請求の範囲の趣旨または範囲から逸脱することなく他の実装形態に適用され得る。
以下に、出願当初の特許請求の範囲に記載された発明を付記する。
［Ｃ１］
モバイルデバイス上で、信頼できないリンクを介したプロトコルメッセージのトランスポートを可能にする機構をもつプロトコルを使用してロケーションサーバとのプロトコルセッションを実行するための方法であって、前記方法が、
第１のプロトコルセッションに関連する第１のプロトコルセッションメッセージを前記ロケーションサーバに送ることと、
前記第１のプロトコルセッションメッセージに応答した前記ロケーションサーバからの肯定応答を待っている間、前記モバイルデバイスから前記ロケーションサーバへのアップリンク送信が中断される肯定応答待ち状態に入ることと、
第２のプロトコルセッションに関連する第２のプロトコルセッションメッセージを受信することと、前記第２のプロトコルセッションメッセージが、前記第１のプロトコルセッションメッセージに応答した前記ロケーションサーバからの前記肯定応答ではなく、前記第２のプロトコルセッションメッセージが、前記第１のプロトコルセッションメッセージ中で要求された情報を含み、
前記第２のプロトコルセッションメッセージを受信したことに応答して前記肯定応答待ち状態を出ることと、
前記第２のプロトコルセッションメッセージ中で受信された前記情報を使用してアクションを行うこととを備える、方法。
［Ｃ２］
前記第１のプロトコルセッションメッセージがＬＴＥ測位プロトコル（ＬＰＰ）支援データ要求メッセージであり、前記第２のプロトコルセッションメッセージがＬＰＰ支援データ提供メッセージである、Ｃ１に記載の方法。
［Ｃ３］
前記第１のプロトコルセッションメッセージがＬＰＰ支援データ要求メッセージであり、前記第２のプロトコルセッションメッセージがＬＰＰエラーメッセージまたはＬＰＰアボートメッセージである、Ｃ１に記載の方法。
［Ｃ４］
前記第１のプロトコルセッションメッセージが前記ロケーションサーバへの情報についての要求を備え、前記第２のプロトコルセッションメッセージが前記ロケーションサーバからの前記情報を含む、Ｃ１に記載の方法。
［Ｃ５］
前記第１のプロトコルセッションメッセージに関連する第１のトランザクションＩＤを、前記第２のプロトコルセッションメッセージに関連する第２のトランザクションＩＤと比較することと、
前記第１のトランザクションＩＤが前記第２のトランザクションＩＤに一致する場合のみ、前記第２のプロトコルセッションメッセージを受信したことに応答して前記肯定応答待ち状態を出ることとをさらに備える、Ｃ１に記載の方法。
［Ｃ６］
前記第１のプロトコルセッションメッセージに応答した前記ロケーションサーバからの前記肯定応答も、前記第２のプロトコルセッションメッセージも、再送信タイマーの満了より前に前記モバイルデバイスによって受信されない場合、前記第１のプロトコルセッションメッセージを前記ロケーションサーバに再送することをさらに備える、Ｃ１に記載の方法。
［Ｃ７］
モバイルデバイス上で、信頼できないリンクを介したプロトコルメッセージのトランスポートを可能にする機構をもつプロトコルを使用してロケーションサーバとのプロトコルセッションを実行するための装置であって、前記装置が、
第１のプロトコルセッションに関連する第１のプロトコルセッションメッセージを前記ロケーションサーバに送るための手段と、
前記第１のプロトコルセッションメッセージに応答した前記ロケーションサーバからの肯定応答を待っている間、前記モバイルデバイスから前記ロケーションサーバへのアップリンク送信が中断される肯定応答待ち状態に入るための手段と、
第２のプロトコルセッションに関連する第２のプロトコルセッションメッセージを受信するための手段と、前記第２のプロトコルセッションメッセージが、前記第１のプロトコルセッションメッセージに応答した前記ロケーションサーバからの前記肯定応答ではなく、前記第２のプロトコルセッションメッセージが、前記第１のプロトコルセッションメッセージ中で要求された情報を含み、
前記第２のプロトコルセッションメッセージを受信したことに応答して前記肯定応答待ち状態を出るための手段と、
前記第２のプロトコルセッションメッセージ中で受信された前記情報を使用してアクションを行うための手段とを備える、装置。
［Ｃ８］
前記第１のプロトコルセッションメッセージがＬＴＥ測位プロトコル（ＬＰＰ）支援データ要求メッセージであり、前記第２のプロトコルセッションメッセージがＬＰＰ支援データ提供メッセージである、Ｃ７に記載の装置。
［Ｃ９］
前記第１のプロトコルセッションメッセージがＬＰＰ支援データ要求メッセージであり、前記第２のプロトコルセッションメッセージがＬＰＰエラーメッセージまたはＬＰＰアボートメッセージである、Ｃ７に記載の装置。
［Ｃ１０］
前記第１のプロトコルセッションメッセージが前記ロケーションサーバへの情報についての要求を備え、前記第２のプロトコルセッションメッセージが前記ロケーションサーバからの前記情報を含む、Ｃ７に記載の装置。
［Ｃ１１］
前記第１のプロトコルセッションメッセージに関連する第１のトランザクションＩＤを、前記第２のプロトコルセッションメッセージに関連する第２のトランザクションＩＤと比較するための手段をさらに備え、ここにおいて、前記第２のプロトコルセッションメッセージを受信したことに応答して前記肯定応答待ち状態を出るための前記手段は、前記第１のトランザクションＩＤが前記第２のトランザクションＩＤに一致する場合のみ動作する、Ｃ７に記載の装置。
［Ｃ１２］
前記第１のプロトコルセッションメッセージに応答した前記ロケーションサーバからの前記肯定応答も、前記第２のプロトコルセッションメッセージも、再送信タイマーの満了より前に前記モバイルデバイスによって受信されない場合、前記第１のプロトコルセッションメッセージを前記ロケーションサーバに再送するための手段をさらに備える、Ｃ７に記載の装置。
［Ｃ１３］
モバイルデバイス上で、信頼できないリンクを介したプロトコルメッセージのトランスポートを可能にする機構をもつプロトコルを使用してロケーションサーバとのプロトコルセッションを実行するための装置であって、前記装置が、
データをワイヤレスに送信および受信するように構成されたトランシーバと、
プロセッサ実行可能プログラムコードを記憶するように構成されたメモリと、
第１のプロトコルセッションに関連する第１のプロトコルセッションメッセージを前記ロケーションサーバに送ることと、
前記第１のプロトコルセッションメッセージに応答した前記ロケーションサーバからの肯定応答を待っている間、前記モバイルデバイスから前記ロケーションサーバへのアップリンク送信が中断される肯定応答待ち状態に入ることと、
第２のプロトコルセッションに関連する第２のプロトコルセッションメッセージを受信することと、前記第２のプロトコルセッションメッセージが、前記第１のプロトコルセッションメッセージに応答した前記ロケーションサーバからの前記肯定応答ではなく、前記第２のプロトコルセッションメッセージが、前記第１のプロトコルセッションメッセージ中で要求された情報を含み、
前記第２のプロトコルセッションメッセージを受信したことに応答して前記肯定応答待ち状態を出ることと、
前記第２のプロトコルセッションメッセージ中で受信された前記情報を使用してアクションを行うこととをするように構成されたプロセッサとを備える、装置。
［Ｃ１４］
前記第１のプロトコルセッションメッセージがＬＴＥ測位プロトコル（ＬＰＰ）支援データ要求メッセージであり、前記第２のプロトコルセッションメッセージがＬＰＰ支援データ提供メッセージである、Ｃ１３に記載の装置。
［Ｃ１５］
前記第１のプロトコルセッションメッセージがＬＰＰ支援データ要求メッセージであり、前記第２のプロトコルセッションメッセージがＬＰＰエラーメッセージまたはＬＰＰアボートメッセージである、Ｃ１３に記載の装置。
［Ｃ１６］
前記第１のプロトコルセッションメッセージが前記ロケーションサーバへの情報についての要求を備え、前記第２のプロトコルセッションメッセージが前記ロケーションサーバからの前記情報を含む、Ｃ１３に記載の装置。
［Ｃ１７］
前記プロセッサは、
前記第１のプロトコルセッションメッセージに関連する第１のトランザクションＩＤを、前記第２のプロトコルセッションメッセージに関連する第２のトランザクションＩＤと比較することと、
前記第１のトランザクションＩＤが前記第２のトランザクションＩＤに一致する場合のみ、前記第２のプロトコルセッションメッセージを受信したことに応答して前記肯定応答待ち状態を出ることとをするようにさらに構成された、Ｃ１３に記載の装置。
［Ｃ１８］
前記プロセッサは、
前記第１のプロトコルセッションメッセージに応答した前記ロケーションサーバからの前記肯定応答も、前記第２のプロトコルセッションメッセージも、再送信タイマーの満了より前に前記モバイルデバイスによって受信されない場合、前記第１のプロトコルセッションメッセージを前記ロケーションサーバに再送することをするようにさらに構成された、Ｃ１３に記載の装置。
［Ｃ１９］
モバイルデバイス上で、信頼できないリンクを介したプロトコルメッセージのトランスポートを可能にする機構をもつプロトコルを使用してロケーションサーバとのプロトコルセッションを実行するための複数のコンピュータ可読命令を記憶した非一時的コンピュータ可読媒体であって、
第１のプロトコルセッションに関連する第１のプロトコルセッションメッセージを前記ロケーションサーバに送ることと、
前記第１のプロトコルセッションメッセージに応答した前記ロケーションサーバからの肯定応答を待っている間、前記モバイルデバイスから前記ロケーションサーバへのアップリンク送信が中断される肯定応答待ち状態に入ることと、
第２のプロトコルセッションに関連する第２のプロトコルセッションメッセージを受信することと、前記第２のプロトコルセッションメッセージが、前記第１のプロトコルセッションメッセージに応答した前記ロケーションサーバからの前記肯定応答ではなく、前記第２のプロトコルセッションメッセージが、前記第１のプロトコルセッションメッセージ中で要求された情報を含み、
前記第２のプロトコルセッションメッセージを受信したことに応答して前記肯定応答待ち状態を出ることと、
前記第２のプロトコルセッションメッセージ中で受信された前記情報を使用してアクションを行うこととをコンピュータにさせるように構成された命令を備える、非一時的コンピュータ可読媒体。
［Ｃ２０］
前記第１のプロトコルセッションメッセージがＬＴＥ測位プロトコル（ＬＰＰ）支援データ要求メッセージであり、前記第２のプロトコルセッションメッセージがＬＰＰ支援データ提供メッセージである、Ｃ１９に記載の非一時的コンピュータ可読媒体。
［Ｃ２１］
前記第１のプロトコルセッションメッセージがＬＰＰ支援データ要求メッセージであり、前記第２のプロトコルセッションメッセージがＬＰＰエラーメッセージまたはＬＰＰアボートメッセージである、Ｃ１９に記載の非一時的コンピュータ可読媒体。
［Ｃ２２］
前記第１のプロトコルセッションメッセージが前記ロケーションサーバへの情報についての要求を備え、前記第２のプロトコルセッションメッセージが前記ロケーションサーバからの前記情報を含む、Ｃ１９に記載の非一時的コンピュータ可読媒体。
［Ｃ２３］
前記第１のプロトコルセッションメッセージに関連する第１のトランザクションＩＤを、前記第２のプロトコルセッションメッセージに関連する第２のトランザクションＩＤと比較することと、
前記第１のトランザクションＩＤが前記第２のトランザクションＩＤに一致する場合のみ、前記第２のプロトコルセッションメッセージを受信したことに応答して前記肯定応答待ち状態を出ることとを前記コンピュータにさせるように構成された命令をさらに備える、Ｃ１９に記載の非一時的コンピュータ可読媒体。
［Ｃ２４］
前記第１のプロトコルセッションメッセージに応答した前記ロケーションサーバからの前記肯定応答も、前記第２のプロトコルセッションメッセージも、再送信タイマーの満了より前に前記モバイルデバイスによって受信されない場合、前記第１のプロトコルセッションメッセージを前記ロケーションサーバに再送することを前記コンピュータにさせるように構成された命令をさらに備える、Ｃ１９に記載の非一時的コンピュータ可読媒体。
［Ｃ２５］
ロケーションサーバ上で、信頼できないリンクを介したプロトコルメッセージのトランスポートを可能にする機構をもつプロトコルを使用してモバイルデバイスとのプロトコルセッションを実行するための方法であって、前記方法が、
第１のプロトコルセッションに関連する第１のプロトコルセッションメッセージを前記モバイルデバイスに送ることと、
前記第１のプロトコルセッションメッセージに応答した前記モバイルデバイスからの肯定応答を待っている間、前記ロケーションサーバから前記モバイルデバイスへのダウンリンク送信が中断される肯定応答待ち状態に入ることと、
第２のプロトコルセッションに関連する第２のプロトコルセッションメッセージを受信することと、前記第２のプロトコルセッションメッセージが、前記第１のプロトコルセッションメッセージに応答した前記モバイルデバイスからの前記肯定応答ではなく、前記第２のプロトコルセッションメッセージが、前記第１のプロトコルセッションメッセージ中で要求された情報を含み、
前記第２のプロトコルセッションメッセージを受信したことに応答して前記肯定応答待ち状態を出ることと、
前記第２のプロトコルセッションメッセージ中で受信された前記情報を使用してアクションを行うこととを備える、方法。
［Ｃ２６］
前記第１のプロトコルセッションメッセージが前記モバイルデバイスへの情報についての要求を備え、前記第２のプロトコルセッションメッセージが前記モバイルデバイスからの前記情報を含む、Ｃ２５に記載の方法。
［Ｃ２７］
前記第１のプロトコルセッションメッセージに応答した前記モバイルデバイスからの前記肯定応答も、前記第２のプロトコルセッションメッセージも、再送信タイマーの満了より前に前記モバイルデバイスによって受信されない場合、前記第１のプロトコルセッションメッセージを前記モバイルデバイスに再送することをさらに備える、Ｃ２５に記載の方法。
［Ｃ２８］
前記第１のプロトコルセッションメッセージに関連する第１のトランザクションＩＤを、前記第２のプロトコルセッションメッセージに関連する第２のトランザクションＩＤと比較することと、
前記第１のトランザクションＩＤが前記第２のトランザクションＩＤに一致する場合のみ、前記第２のプロトコルセッションメッセージを受信したことに応答して前記肯定応答待ち状態を出ることとをさらに備える、Ｃ２５に記載の方法。
［Ｃ２９］
前記第１のプロトコルセッションメッセージがＬＴＥ測位プロトコル（ＬＰＰ）支援データ提供メッセージであり、前記第２のプロトコルセッションメッセージがＬＰＰロケーション情報提供メッセージである、Ｃ２５に記載の方法。
［Ｃ３０］
ロケーションサーバ上で、信頼できないリンクを介したプロトコルメッセージのトランスポートを可能にする機構をもつプロトコルを使用してモバイルデバイスとのプロトコルセッションを実行するための装置であって、前記装置が、
第１のプロトコルセッションに関連する第１のプロトコルセッションメッセージを前記モバイルデバイスに送るための手段と、
前記第１のプロトコルセッションメッセージに応答した前記モバイルデバイスからの肯定応答を待っている間、前記ロケーションサーバから前記モバイルデバイスへのダウンリンク送信が中断される肯定応答待ち状態に入るための手段と、
第２のプロトコルセッションに関連する第２のプロトコルセッションメッセージを受信するための手段と、前記第２のプロトコルセッションメッセージが、前記第１のプロトコルセッションメッセージに応答した前記モバイルデバイスからの前記肯定応答ではなく、前記第２のプロトコルセッションメッセージが、前記第１のプロトコルセッションメッセージ中で要求された情報を含み、
前記第２のプロトコルセッションメッセージを受信したことに応答して前記肯定応答待ち状態を出るための手段と、
前記第２のプロトコルセッションメッセージ中で受信された前記情報を使用してアクションを行うための手段とを備える、装置。
［Ｃ３１］
前記第１のプロトコルセッションメッセージが前記モバイルデバイスへの情報についての要求を備え、前記第２のプロトコルセッションメッセージが前記モバイルデバイスからの前記情報を含む、Ｃ３０に記載の装置。
［Ｃ３２］
前記第１のプロトコルセッションメッセージに応答した前記モバイルデバイスからの前記肯定応答も、前記第２のプロトコルセッションメッセージも、再送信タイマーの満了より前に前記モバイルデバイスによって受信されない場合、前記第１のプロトコルセッションメッセージを前記モバイルデバイスに再送するための手段をさらに備える、Ｃ３０に記載の装置。
［Ｃ３３］
前記第１のプロトコルセッションメッセージに関連する第１のトランザクションＩＤを、前記第２のプロトコルセッションメッセージに関連する第２のトランザクションＩＤと比較するための手段をさらに備え、ここにおいて、前記第２のプロトコルセッションメッセージを受信したことに応答して前記肯定応答待ち状態を出るための前記手段は、前記第１のトランザクションＩＤが前記第２のトランザクションＩＤに一致する場合のみ動作する、Ｃ３０に記載の装置。
［Ｃ３４］
前記第１のプロトコルセッションメッセージがＬＴＥ測位プロトコル（ＬＰＰ）支援データ提供メッセージであり、前記第２のプロトコルセッションメッセージがＬＰＰロケーション情報提供メッセージである、Ｃ３０に記載の装置。
［Ｃ３５］
ロケーションサーバ上で、信頼できないリンクを介したプロトコルメッセージのトランスポートを可能にする機構をもつプロトコルを使用してモバイルデバイスとのプロトコルセッションを実行するための装置であって、前記装置が、
１つまたは複数のネットワークを介してデータを送信および受信するように構成されたネットワークインターフェースと、
プロセッサ実行可能プログラムコードを記憶するように構成されたメモリと、
第１のプロトコルセッションに関連する第１のプロトコルセッションメッセージを前記モバイルデバイスに送ることと、
前記第１のプロトコルセッションメッセージに応答した前記モバイルデバイスからの肯定応答を待っている間、前記ロケーションサーバから前記モバイルデバイスへのダウンリンク送信が中断される肯定応答待ち状態に入ることと、
第２のプロトコルセッションに関連する第２のプロトコルセッションメッセージを受信することと、前記第２のプロトコルセッションメッセージが、前記第１のプロトコルセッションメッセージに応答した前記モバイルデバイスからの前記肯定応答ではなく、前記第２のプロトコルセッションメッセージが、前記第１のプロトコルセッションメッセージ中で要求された情報を含み、
前記第２のプロトコルセッションメッセージを受信したことに応答して前記肯定応答待ち状態を出ることと、
前記第２のプロトコルセッションメッセージ中で受信された前記情報を使用してアクションを行うこととをするように構成されたプロセッサとを備える、装置。
［Ｃ３６］
前記第１のプロトコルセッションメッセージが前記モバイルデバイスへの情報についての要求を備え、前記第２のプロトコルセッションメッセージが前記モバイルデバイスからの前記情報を含む、Ｃ３５に記載の装置。
［Ｃ３７］
前記プロセッサは、
前記第１のプロトコルセッションメッセージに応答した前記モバイルデバイスからの前記肯定応答も、前記第２のプロトコルセッションメッセージも、再送信タイマーの満了より前に前記モバイルデバイスによって受信されない場合、前記第１のプロトコルセッションメッセージを前記モバイルデバイスに再送することをするようにさらに構成された、Ｃ３５に記載の装置。
［Ｃ３８］
前記プロセッサは、
前記第１のプロトコルセッションメッセージに関連する第１のトランザクションＩＤを、前記第２のプロトコルセッションメッセージに関連する第２のトランザクションＩＤと比較することと、
前記第１のトランザクションＩＤが前記第２のトランザクションＩＤに一致する場合のみ、前記第２のプロトコルセッションメッセージを受信したことに応答して前記肯定応答待ち状態を出ることとをするようにさらに構成された、Ｃ３５に記載の装置。
［Ｃ３９］
前記第１のプロトコルセッションメッセージがＬＴＥ測位プロトコル（ＬＰＰ）支援データ提供メッセージであり、前記第２のプロトコルセッションメッセージがＬＰＰロケーション情報提供メッセージである、Ｃ３５に記載の装置。
［Ｃ４０］
ロケーションサーバ上で、信頼できないリンクを介したプロトコルメッセージのトランスポートを可能にする機構をもつプロトコルを使用してモバイルデバイスとのプロトコルセッションを実行するための複数のコンピュータ可読命令を記憶した非一時的コンピュータ可読媒体であって、
第１のプロトコルセッションに関連する第１のプロトコルセッションメッセージを前記モバイルデバイスに送ることと、
前記第１のプロトコルセッションメッセージに応答した前記モバイルデバイスからの肯定応答を待っている間、前記ロケーションサーバから前記モバイルデバイスへのダウンリンク送信が中断される肯定応答待ち状態に入ることと、
第２のプロトコルセッションに関連する第２のプロトコルセッションメッセージを受信することと、前記第２のプロトコルセッションメッセージが、前記第１のプロトコルセッションメッセージに応答した前記モバイルデバイスからの前記肯定応答ではなく、前記第２のプロトコルセッションメッセージが、前記第１のプロトコルセッションメッセージ中で要求された情報を含み、
前記第２のプロトコルセッションメッセージを受信したことに応答して前記肯定応答待ち状態を出ることと、
前記第２のプロトコルセッションメッセージ中で受信された前記情報を使用してアクションを行うこととをコンピュータにさせるように構成された命令を備える、非一時的コンピュータ可読媒体。
［Ｃ４１］
前記第１のプロトコルセッションメッセージが前記モバイルデバイスへの情報についての要求を備え、前記第２のプロトコルセッションメッセージが前記モバイルデバイスからの前記情報を含む、Ｃ４０に記載の非一時的コンピュータ可読媒体。
［Ｃ４２］
前記第１のプロトコルセッションメッセージに応答した前記モバイルデバイスからの前記肯定応答も、前記第２のプロトコルセッションメッセージも、再送信タイマーの満了より前に前記モバイルデバイスによって受信されない場合、前記第１のプロトコルセッションメッセージを前記モバイルデバイスに再送することを前記コンピュータにさせるための複数の命令をさらに備える、Ｃ４０に記載の非一時的コンピュータ可読媒体。
［Ｃ４３］
前記第１のプロトコルセッションメッセージに関連する第１のトランザクションＩＤを、前記第２のプロトコルセッションメッセージに関連する第２のトランザクションＩＤと比較することと、
前記第１のトランザクションＩＤが前記第２のトランザクションＩＤに一致する場合のみ、前記第２のプロトコルセッションメッセージを受信したことに応答して前記肯定応答待ち状態を出ることとを前記コンピュータにさせるための複数の命令をさらに備える、Ｃ４０に記載の非一時的コンピュータ可読媒体。
［Ｃ４４］
前記第１のプロトコルセッションメッセージがＬＴＥ測位プロトコル（ＬＰＰ）支援データ提供メッセージであり、前記第２のプロトコルセッションメッセージがＬＰＰロケーション情報提供メッセージである、Ｃ４０に記載の非一時的コンピュータ可読媒体。